【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
入力信号を安定化して、安定化された出力信号を出力するバッファアンプと、
前記バッファアンプの入力端への入力信号の入力をオンオフする第１スイッチと、
一端が前記バッファアンプの入力端に接続され、他端が第２スイッチを介し前記バッファアンプの出力端に接続される第１キャパシタと、
前記第１キャパシタの他端への前記入力信号の供給をオンオフする第３スイッチと、
を含み、
前記第１スイッチおよび前記第２スイッチをオンし、前記第３スイッチをオフして前記第１キャパシタに前記入力信号と前記出力信号の電圧差を充電し、
その後、前記第１スイッチおよび前記第２スイッチをオフし、前記第３スイッチをオンし、前記第１キャパシタの他端に前記入力信号を供給することで、前記バッファアンプの入力端に前記入力信号に対し、前記入力信号と前記出力信号の差分を加算した電圧を供給することを特徴とする増幅回路。
【請求項２】
請求項１に記載の増幅回路において、
前記第１キャパシタの他端と、一定電圧の電源との間に第２キャパシタを有することを特徴とする増幅回路。
【請求項３】
請求項１または２に記載の増幅回路において、
前記入力信号は、複数ビットのデジタル信号について、各ビットに対応して容量値に重
み付けされた複数のキャパシタを前記デジタル信号の各ビットの値に応じて充電し、前記複数のキャパシタの充電電圧を平均して得られたアナログ出力であり、
前記出力信号を、所定容量を有するデータラインに供給することを特徴とする増幅回路。
【請求項４】
請求項１に記載の増幅回路において、
前記第１スイッチ、前記第２スイッチおよび前記第３スイッチはＴＦＴであることを特徴とする増幅回路。
【請求項５】
マトリクス状に配置された画素の各列に対応してデータラインを配置し、各画素のデータ信号をデータラインを介し各画素に供給する表示装置であって、
前記データ信号を安定化してから前記データラインに供給する増幅回路を有し、
この増幅回路に請求項１から４のいずれかに記載の増幅回路を使用することを特徴とする表示装置。
【手続補正２】
【補正対象書類名】明細書
【補正対象項目名】０００７
【補正方法】変更
【補正の内容】
【０００７】
本発明は、入力信号を安定化して、安定化された出力信号を出力するバッファアンプと、前記バッファアンプの入力端への入力信号の入力をオンオフする第１スイッチと、一端が前記バッファアンプの入力端に接続され、他端が第２スイッチを介し前記バッファアンプの出力端に接続される第１キャパシタと、前記第１キャパシタの他端への前記入力信号の供給をオンオフする第３スイッチと、を含み、前記第１スイッチおよび前記第２スイッチをオンし、前記第３スイッチをオフして前記第１キャパシタに前記入力信号と前記出力信号の電圧差を充電し、その後、前記第１スイッチおよび前記第２スイッチをオフし、前記第３スイッチをオンし、前記第１キャパシタの他端に前記入力信号を供給することで、前記バッファアンプの入力端に前記入力信号に対し、前記入力信号と前記出力信号の差分を加算した電圧を供給することを特徴とする。
【手続補正３】
【補正対象書類名】明細書
【補正対象項目名】０００８
【補正方法】変更
【補正の内容】
【０００８】
前記第１キャパシタの他端と、一定電圧の電源との間に第２キャパシタを有することが好適である。また、前記入力信号は、複数ビットのデジタル信号について、各ビットに対応して容量値に重み付けされた複数のキャパシタを前記デジタル信号の各ビットの値に応じて充電し、前記複数のキャパシタの充電電圧を平均して得られたアナログ出力であり、前記出力信号を、所定容量を有するデータラインに供給することが好適である。また、前記第１スイッチ、前記第２スイッチおよび前記第３スイッチはＴＦＴであることが好適である。
【手続補正４】
【補正対象書類名】明細書
【補正対象項目名】０００９
【補正方法】変更
【補正の内容】
【０００９】
また、本発明は、マトリクス状に配置された画素の各列に対応してデータラインを配置し、各画素のデータ信号をデータラインを介し各画素に供給する表示装置であって、前記データ信号を安定化してから前記データラインに供給する増幅回路を有し、この増幅回路に請求項１から４のいずれかに記載の増幅回路を使用することを特徴とする。
【手続補正５】
【補正対象書類名】明細書
【補正対象項目名】００１８
【補正方法】変更
【補正の内容】
【００１８】
また、各ＤＡＣ２０の出力端には、アンプ（Ａｍｐ）２２の入力端が接続され、このアンプ２２の出力端が切り替えスイッチ２４を介し、データラインＤＬに接続されている。このデータラインＤＬは、列（垂直走査方向）に伸び、対応する１列の画素回路１００がそれぞれ接続される。なお、この例では、データラインＤＬには、画素回路１００における画素ＴＦＴのソースが接続されるため、ソースラインとも呼ばれる。
【手続補正６】
【補正対象書類名】明細書
【補正対象項目名】００６７
【補正方法】変更
【補正の内容】
【００６７】
一方、スタンバイモードの場合には、第１切替部２４ａによって、スタンバイ用信号を選択する。第１切替部２４ａのスタンバイ用信号の入力端には、第２切替部２４ｂの出力が供給されている。そして、この第２切替部２４ｂは、ＷＨＩＴＥ信号またはＢＬＡＣＫ信号のいずれかを選択して出力する。従って、スタンバイモードの場合には、第２切替部２４ｂによって選択されたＷＨＩＴＥ信号またはＢＬＡＣＫ信号のいずれかが、第１切替部２４ａを介し出力される。
【手続補正７】
【補正対象書類名】明細書
【補正対象項目名】００６８
【補正方法】変更
【補正の内容】
【００６８】
ここで、第２切替部２４ｂは、ＳＲＡＭ１８の６ビット出力におけるＭＳＢ（０−５ビットの５ビット目）の信号が供給される。これは、スタンバイモードの場合には、表示は簡単な記号などの表示であり、白・黒の２種類の表示が用いられ、ビデオデータの５ビット目によって、白または黒のいずれかが判定されるからである。なお、例えば黒が００００００，白が１１１１１１であれば、どのビットによっても判定が可能であるが、ビデオデータによっては、すべての範囲のデータを利用しない場合もあり、適当なビットで判定するとよい。すなわち、画素毎にその画素のデータが白か黒かを画素データ内の適切な１ビットによって判定し、これによってＷＨＩＴＥ信号またはＢＬＡＣＫ信号のいずれかが第２切替部２４ｂにおいて選択される。また、この例では、ＳＲＡＭ１８の所定ビットを切り替え制御信号として、第１切替部２４ａに供給し、そのビットの１または０によって第１切替部２４ａを切り替えている。
【手続補正８】
【補正対象書類名】明細書
【補正対象項目名】００８４
【補正方法】変更
【補正の内容】
【００８４】
なお、図９の例では、ＴＦＴ２３０，２３２を１本の制御ラインのＤＳＧ信号によってオンオフし、ＴＦＴ２３０，２３２を同一のタイミングでオンしたが、制御ラインを別々としてＴＦＴ２３０をオンした後に、ＴＦＴ２３２をオンすることも好適である。また、ＴＦＴ２３２により供給する電圧は（１／２）ＶＤＤとしたが、共通電極電圧ＶＣＯＭに近い電圧であれば、他の電圧でもよい。
【手続補正９】
【補正対象書類名】明細書
【補正対象項目名】００８５
【補正方法】変更
【補正の内容】
【００８５】
さらに、ＴＦＴ２３０を設けた場合には、ＴＦＴ２３２を省略することもできる。すなわち、ＴＦＴ２３０をオンすることで、ＴＦＴ２３０を介し隣接するデータラインＤＬ同士を接続することができ、同様の効果が得られる。また、ＴＦＴ２３０またはＴＦＴ２３２のいずれかを１つのみ設けることもできる。
【手続補正１０】
【補正対象書類名】明細書
【補正対象項目名】０１０５
【補正方法】変更
【補正の内容】
【０１０５】
まず、ブランキング期間が終了したときには、上述のようにＳＲＡＭ１８に１行分のビデオデータがセットされている。そこで、ＤＡＣ２０は、デジタルアナログ変換を行うが、下位３ビットについてキャパシタ４３０に充電しなければならない。そこで信号ＣｈａｒｇｅをＨレベルとして、充電を開始する。充電が完了した後に、ＣｈａｒｇｅをＬレベルとして、信号ＣｏｍｂｉｎｅをＨレベルにする。これによって、ＤＡＣ２０の出力に６４階調のアナログビデオ信号が得られる。
【手続補正１１】
【補正対象書類名】明細書
【補正対象項目名】０１０７
【補正方法】変更
【補正の内容】
【０１０７】
一方、スイッチ２４においては、ＣｏｍｂｉｎｅがＨレベルの期間にＲＧＢ＿ＥＮＢをＨレベルとして、アンプ２２の出力であるアナログビデオ信号がデータラインＤＬに供給され、該当する行の画素回路１００がそのアナログビデオ信号を取り込む。なお、ＲＧＢ＿ＥＮＢは、Ｃｏｍｂｉｎｅより先にＬレベルに戻ることで、データラインＤＬ上のビデオ信号の変化を防止している。
【手続補正１２】
【補正対象書類名】図面
【補正対象項目名】図５Ｂ
【補正方法】変更
【補正の内容】
【図５Ｂ】
2007052089.tif 000001